(57)【要約】【課題】付加的なピストン装置等を設けることなく、燃料電池の燃料ガス流路に溜まった水を排出する。【解決手段】発電運転中に、水素ガス供給装置５０から燃料電池１４に供給される水素ガスを、水素供給弁４６を閉弁することで一旦遮断し、所定圧力まで下がったら再び開弁することでアノード圧力Ｐに作動圧変動を生じさせ、これにより供給排出口３０、３２間に差圧ΔＰを発生させる。差圧ΔＰにより、燃料ガス流路２４に溜まった水が排出される。【選択図】図１
2010044869.tif 000002
【特許請求の範囲】
【請求項１】
水素ガスと酸化剤ガスを反応させて発電を行う燃料電池と、
前記水素ガスを前記燃料電池に供給する水素ガス供給装置と、
前記水素ガス供給装置を制御して、前記燃料電池に供給される前記水素ガスの流量を制御し、前記燃料電池の前記水素ガスの供給排出口間で差圧を発生させる差圧発生部と、
を備えることを特徴とする燃料電池システム。
【請求項２】
請求項１記載の燃料電池システムにおいて、
前記燃料電池に水が溜まっているかどうかを判定する貯留判定部をさらに備え、
前記貯留判定部が水が溜まっていると判定したとき、前記差圧発生部が前記差圧を発生させる
ことを特徴とする燃料電池システム。
【請求項３】
請求項２記載の燃料電池システムにおいて、
前記燃料電池の発電状態が安定か不安定かを判定する発電状態判定部をさらに備え、
前記発電状態判定部が前記発電状態が不安定であると判定したとき、前記貯留判定部が前記燃料電池に水が溜まっていると判定する
ことを特徴とする燃料電池システム。
【請求項４】
請求項２又は３記載の燃料電池システムにおいて、
前記貯留判定部は、
前記燃料電池システムのシステム停止時に、水が溜まっていると判定する
ことを特徴とする燃料電池システム。
【請求項５】
請求項２〜４のいずれか１項に記載の燃料電池システムにおいて、
前記貯留判定部は、
前記燃料電池システムのシステム停止後、所定のソーク時間が経過した後の再起動時に水が溜まっていると判定する
ことを特徴とする燃料電池システム。
【請求項６】
請求項１〜５のいずれか１項に記載の燃料電池システムにおいて、
前記燃料電池の前記水素ガスの前記排出口の下流側に前記水素ガスを放出するパージ弁をさらに設け、
前記差圧発生部は、前記水素ガスの差圧を発生させる際、前記パージ弁も開弁してより大きな差圧を発生させる
ことを特徴とする燃料電池システム。
【請求項７】
請求項１〜６のいずれか１項に記載の燃料電池システムにおいて、
前記水素ガス供給装置は、水素ガス貯留器と、水素ガス供給弁とからなり、
前記差圧発生部は、前記燃料電池に前記水素ガスが供給されているとき、前記水素ガス供給弁を所定時間閉弁した後開弁し、前記燃料電池の前記水素ガスの供給排出口間で差圧を発生させる
ことを特徴とする燃料電池システム。
【請求項８】
請求項１〜７のいずれか１項に記載の燃料電池システムにおいて、
前記燃料電池の前記供給口と前記水素ガス供給装置との間に圧力センサをさらに設け、
前記差圧発生部は、前記圧力センサにより検出された圧力値の変化に基づき、前記差圧の発生を終了させる
ことを特徴とする燃料電池システム。
【発明の詳細な説明】
【技術分野】
【０００１】
この発明は、燃料ガス流路内の水素ガスと酸化剤ガス流路内の酸化剤ガスを反応させて発電を行う燃料電池の発電安定性を向上させる燃料電池システムに関する。
【背景技術】
【０００２】
例えば、固体高分子型燃料電池は、高分子イオン交換膜からなる電解質膜（固体高分子電解質膜）の両側にそれぞれアノード電極（燃料極）及びカソード電極（酸化剤極）を設けた電解質膜・電極構造体を、一対のセパレータによって挟んで保持することで、アノード電極とセパレータとの間に燃料ガス流路が形成される一方、カソード電極とセパレータとの間に酸化剤ガス流路が形成される。
【０００３】
燃料電池は、通常、固体高分子電解質膜をアノード電極とカソード電極とで挟んで保持して構成される燃料電池セルを、複数積層させて一体化させたスタック構造として使用されている。
【０００４】
燃料電池において、燃料ガス流路を介してアノード電極に供給された燃料ガス、例えば、水素含有ガスは、電極触媒上で水素イオン化され、適度に加湿された電解質膜を介してカソード電極へと移動し、その移動の間に生じた電子は外部回路に取り出され、直流の電気エネルギとして利用される。カソード電極には、酸化剤ガス流路を介して酸化剤ガス、例えば、空気等の酸素含有ガスが供給されているために、このカソード電極において、水素イオン、電子及び酸素ガスが反応して水が生成される。水は、カソード側からの逆拡散等を原因として燃料ガス流路に浸透する。また、カソード側からアノード側には酸化剤ガス中の窒素も浸透する。
【０００５】
水が過多状態になると、水詰まりにより燃料ガス流路の出口が閉塞し、閉塞すると発電が不安定になる。また、燃料ガス流路内に窒素が増加してくると発電が不安定になる。
【０００６】
そのため、燃料電池システムでは、燃料ガス流路の出口側に設けられた燃料ガス排出口の下流側に、放出弁（パージ弁という。）を設け、燃料電池システムの発電中に、パージ弁を定期的に開弁し、燃料ガス流路の入口側に設けられた燃料ガス供給口と燃料ガス排出口との間での差圧を大きくして、水を排水するとともに窒素を燃料電池システム外に排出することで水詰まりを解消し、燃料ガス流路内での水素ガスの拡散性を向上させ、発電を安定に維持するようにしている。
【０００７】
しかしながら、パージ弁を開弁する際には、水素ガスも同時に排出されるため、燃費が悪化する。燃費の悪化を回避するために、開弁の頻度をなるべく少なくすることが好ましい。
【０００８】
特許文献１には、アノード排ガスを内部に止めて運転する燃料電池において、燃料ガス流路に連通するピストン機構を設け、ピストンを往復駆動することで、燃料ガス流路内に圧力変動を発生させ、この圧力変動により、燃料ガス流路における生成水を拡散させ、水素ガスの拡散性の低下を防止する技術が開示されている。
【０００９】
【特許文献１】特開２００５−１９０７５９号公報
【発明の開示】
【発明が解決しようとする課題】
【００１０】
しかしながら、燃料電池システムにピストン機構を設けると、装置が大型化し、コストも高くなる。その上、ピストン機構を作動させるのに電力などの動力が消費され、燃費も悪化する。
【００１１】
この発明は、このような課題を考慮してなされたものであって、燃料電池システムにピストン機構等の付加的な装置を設けることなく、燃料ガス流路内の水詰まり等、水が溜まった状態を解消し、燃料ガス流路内での水素ガスの拡散性を向上させることを可能とする燃料電池システムを提供することを目的とする。
【課題を解決するための手段】
【００１２】
この発明に係る燃料電池システムは、燃料電池が水素ガスと酸化剤ガスを反応させて発電を行う。前記燃料電池に、水素ガス供給装置から前記水素ガスを供給する。差圧発生部は、前記水素ガス供給装置を制御して、前記燃料電池に供給される前記水素ガスの流量を制御し、前記燃料電池の前記水素ガスの供給排出口間で差圧を発生させる。
【００１３】
この場合、前記燃料電池に水が溜まっているかどうかを判定する貯留判定部をさらに備え、前記貯留判定部が水が溜まっていると判定したとき、前記差圧発生部が前記差圧を発生させることが好ましい。
【００１４】
また、前記燃料電池の発電状態が安定か不安定かを判定する発電状態判定部をさらに備え、前記発電状態判定部が前記発電状態が不安定であると判定したとき、前記貯留判定部が前記燃料電池に水が溜まっていると判定することが好ましい。
【００１５】
さらに、前記貯留判定部は、前記燃料電池システムのシステム停止時に、水が溜まっていると判定することが好ましい。
【００１６】
さらにまた、前記貯留判定部は、前記燃料電池システムのシステム停止後、所定のソーク時間が経過した後の再起動時に水が溜まっていると判定することが好ましい。
【００１７】
さらにまた、前記燃料電池の前記水素ガスの前記排出口の下流側に前記水素ガスを放出するパージ弁をさらに設け、前記差圧発生部は、前記水素ガスの差圧を発生させる際、前記パージ弁も開弁してより大きな差圧を発生させることが好ましい。
【００１８】
さらにまた、前記水素ガス供給装置は、水素ガス貯留器と、水素ガス供給弁とからなり、前記差圧発生部は、前記燃料電池に前記水素ガスが供給されているとき、前記水素ガス供給弁を所定時間閉弁した後開弁し、前記燃料電池の前記水素ガスの供給排出口間で差圧を発生させることが好ましい。
【００１９】
さらにまた、前記燃料電池の前記供給口と前記水素ガス供給装置との間に圧力センサをさらに設け、前記差圧発生部は、前記圧力センサにより検出された圧力値の変化に基づき、前記差圧の発生を終了させることが好ましい。
【発明の効果】
【００２０】
この発明によれば、水素ガス供給装置を制御して、燃料電池の燃料ガスの供給排出口間で水素ガスの差圧を発生させるようにしているので、燃料電池システムにピストン機構等の付加的な装置を設けることなく、発生した差圧（作動圧変動）により燃料ガス流路内の水詰まり等、水が溜まった状態を解消し、燃料ガス流路内での水素ガスの拡散性を向上させることができる。
【発明を実施するための最良の形態】
【００２１】
以下、この発明の実施形態について図面を参照して説明する。
【００２２】
図１は、この発明の一実施形態に係る燃料電池システム１０が適用された燃料電池車両１２の概略構成図を示す。
【００２３】
この燃料電池車両１２は、基本的には、燃料電池１４と、この燃料電池１４の出力を補助するとともに燃料電池１４の発電電力等により充電される蓄電装置（バッテリという。）１６と、主負荷である走行駆動用のモータ１８と、エアコンプレッサ２０等の補機と、これらを制御する制御装置７０とから構成される。
【００２４】
燃料電池１４は、固体高分子電解質膜をアノード電極とカソード電極とで挟んで保持して構成される燃料電池セルを、複数積層させて一体化させたスタック構造になっている。各燃料電池セルは、電解質膜（固体高分子電解質膜）・電極構造体を挟んで保持する金属のセパレータとを備える。一方のセパレータの電解質膜・電極構造体のカソード電極に対向する面には、酸化剤ガス流路２２が形成される。他方のセパレータの電解質膜・電極構造体のアノード電極に対向する面には、燃料ガス流路２４が形成される。
【００２５】
各燃料電池セルの電圧（セル電圧）Ｖｓは、電圧センサ２６により測定（検出）される。
【００２６】
燃料電池１４には、この燃料電池１４の燃料ガス流路２４を通じてアノード電極に燃料ガス、例えば水素（Ｈ2）ガスを供給するための水素供給口３０と、燃料電池１４の燃料ガス流路２４から排出される未使用の水素ガスを含む排ガスを排出するための水素排出口３２と、燃料電池１４の酸化剤ガス流路２２を通じてカソード電極に、酸化剤ガス、例えば酸素（Ｏ2）を含む空気（エア）を供給するための空気供給口３４と、酸化剤ガス流路２２から未使用の酸素を含む空気を燃料電池１４から排出するための空気排出口３６とが設けられている。
【００２７】
水素供給口３０には、水素供給流路３８が連通される。この水素供給流路３８には、水素供給流路３８内（水素供給口３０）のガスの圧力（アノード圧力）Ｐを検出（測定）する圧力センサ４０とエゼクタ４２が設けられる。
【００２８】
エゼクタ４２は、高圧水素を貯留する水素ガス貯留器４４（水素タンク）から水素供給弁４６を通じて供給される水素ガスを、水素供給流路３８及び水素供給口３０を通じて燃料電池１４に供給するとともに、燃料電池１４で使用されなかった未使用の水素ガスを含む排ガスを水素排出口３２に連通する水素循環流路４８から吸引して燃料電池１４に再供給する。水素ガス貯留器４４と水素供給弁４６とにより水素ガス供給装置５０が構成される。なお、水素ガス貯留器４４とエゼクタ４２との間に、適宜、水素ガスの供給圧力を調整する圧力レギュレータが設けられる。
【００２９】
水素循環流路４８には、アノード電極に溜まった水やカソード電極から電解質膜を透過してアノード電極に混入した窒素ガスを含む燃料ガスを水素パージ流路５２、希釈ボックス６０及び排出流路６２を介して外部（外気・大気）に排出することで発電安定性を確保するため、通常発電運転時に適宜開放されるパージ弁５４が設けられる。
【００３０】
一方、空気供給口３４には、空気供給流路５６が連通され、この空気供給流路５６には、大気から吸気口６４を通じて吸気される空気を圧縮して燃料電池１４の酸化剤ガス流路２２に供給するエアコンプレッサ用モータと一体となったエアコンプレッサ２０が接続される。
【００３１】
また、空気排出口３６には、エアコンプレッサ２０から空気供給流路５６及び空気供給口３４を通じて燃料電池１４の酸化剤ガス流路２２に供給される空気の圧力を調整するための背圧制御弁６６が設けられ、燃料電池１４の空気排出口３６は、この背圧制御弁６６を介し空気排出流路６８、希釈ボックス６０及び排出流路６２を通じて大気に連通している。
【００３２】
希釈ボックス６０は、パージ弁５４及び水素パージ流路５２を通じて供給される燃料ガス（排ガス）を空気排出流路６８から供給される酸化剤ガスにより希釈して外部に排出する機能を有する。水素供給弁４６、パージ弁５４は、それぞれオンオフ弁である。
【００３３】
制御装置７０は、燃料電池車両１２に収められた燃料電池システム１０の前記水素供給弁４６やパージ弁５４等の開閉、背圧制御弁６６等の開度調整、モータ１８の制御、エアコンプレッサ２０等の補機の制御、蓄電装置１６の充放電制御等を含め、全ての動作を制御する。
【００３４】
燃料電池１４の発電電流Ｉと発電電圧からなる電力は、制御装置７０により制御される電圧制御ユニット（ＶＣＵ）７２を介してモータ１８及びバッテリ１６に供給される。
【００３５】
制御装置７０は、コンピュータにより構成され、各種入力に基づき制御装置７０内のメモリに記憶しているプログラムを実行することで各種機能を実現する機能手段（機能部）として動作する。
【００３６】
この実施形態において、制御装置７０は、水素ガス供給装置５０を制御して、燃料電池１４の燃料ガス流路２４の供給排出口間（水素供給口３０と水素排出口３２間）で水素ガスの差圧を発生させる差圧発生部７４、燃料電池１４の燃料ガス流路２４内に水が溜まっているかどうかを判定する貯留判定部７６、及び燃料電池１４の発電状態が安定か不安定かを判定する発電状態判定部７８等として機能する。
【００３７】
制御装置７０には、各セル電圧Ｖｓを検出する電圧センサ２６、燃料電池車両１２（燃料電池システム１０）を起動し停止するためのイグニッションスイッチ８０（起動スイッチ）等が接続される。
【００３８】
なお、図１において、太い実線は電力線を示し、細い一点鎖線は信号線（制御線）を示す。また、二重線は、配管を示している。
【００３９】
基本的には以上のように構成される燃料電池システム１０の通常発電運転時には、水素ガス貯留器４４から水素供給弁４６を通じて供給される水素ガスが、エゼクタ４２を介し水素供給流路３８を通じて燃料電池１４の水素供給口３０に供給される。
【００４０】
水素供給口３０に供給された燃料ガスは、燃料電池１４内部の各燃料電池セルを構成する燃料ガス流路２４に沿ってアノード電極に供給されアノード電極に沿って移動後、水分を含む未使用の水素ガスを含む排ガスが水素排出口３２から排出されて水素循環流路４８に送られる。
【００４１】
水素循環流路４８に排出された排ガスは、エゼクタ４２の吸引作用下に、水素供給流路３８の途上に戻された後、再度、燃料電池１４内に燃料ガスとして供給される。この燃料ガスは、水分を含むガス、すなわち加湿ガスになっている。なお、通常発電運転時には、パージ弁５４は閉弁されている。
【００４２】
一方、吸気口６４から取り込まれた空気は、エアコンプレッサ２０から圧縮空気として空気供給流路５６を通じて空気供給口３４に供給される。供給された空気、すなわち酸化剤ガスは、空気供給口３４から各燃料電池セルを構成する酸化剤ガス流路２２に沿ってカソード電極に供給され、カソード電極に沿って移動後、未使用の空気を含む排ガスが、空気排出口３６から背圧制御弁６６を介し空気排出流路６８に排出される。
【００４３】
これにより、各燃料電池セルでは、アノード電極に供給される燃料ガスである水素と、カソード電極に供給される酸化剤ガス中の酸素とが反応して発電が行われる。発電電力は、モータ１８の負荷要求に応じＶＣＵ７２を通じてモータ１８に供給される。また、余剰の発電電力は、ＶＣＵ７２を通じてバッテリ１６に蓄電される。さらに、モータ１８の回生電力は、ＶＣＵ７２を通じてバッテリ１６に蓄電される。
【００４４】
ここで、発電状態が一定時間以上継続されると、カソード電極側で発生した生成水が電解質膜、アノード電極を透過して燃料ガス流路２４側に伝達され、燃料ガス流路２４内に貯留される。
【００４５】
燃料ガス流路２４内に水が過多状態になると、水詰まりにより燃料ガス流路２４の出口が閉塞し、閉塞すると発電が不安定になる。また、酸化剤ガス流路２２から透過してきた窒素が燃料ガス流路２４内に増加してくると発電が不安定になる。
【００４６】
そのため、燃料電池システム１０では、上述したように、燃料ガス流路２４の出口側に設けられた水素排出口３２の下流側にパージ弁５４を設けており、燃料電池システム１０の発電中に、定期的にパージ弁５４を開弁して、燃料ガス流路２４の入口側（上流側）に設けられた水素供給口３０と燃料ガス流路２４の出口側（下流側）に設けられた水素排出口３２との間での差圧を大きくして、燃料ガス流路２４（燃料電池１４）から水を排出するとともに窒素を排出することで、水詰まり等を解消し、燃料ガス流路２４内での水素ガスの拡散性を向上させて発電を安定に維持するように構成している。
【００４７】
図２は、燃料電池システム１０の燃料ガス循環系８２の模式図である。各セルに燃料ガス流路２４が形成されている。
【００４８】
パージ弁５４を開弁することによって、燃料ガス循環系８２から外部に水素ガスが排出されることから、この排出分を補うために、水素ガス供給装置５０から水素ガスが供給される。このため、通常発電運転時より燃料ガス流路２４内に多くの水素ガスが流れることになってストイキが上昇し、各燃料ガス流路２４の供給排出口３０、３２間に差圧ΔＰが発生し易くなる。
【００４９】
ここでストイキは、エゼクタ４２の吸引効率を示す指標であり、水素ガス供給装置５０から供給されるエゼクタ４２内部のノズルから噴出する水素流量、すなわち水素消費流量をＱａとし、エゼクタ４２内部のデフューザから燃料電池１４に供給される水素流量、すなわち水素供給全流量をＱｔとした場合、比Ｑｔ／Ｑａにより定義される。この場合、水素循環流路４８に連通するエゼクタ４２の復流室から前記デフューザに吸引される水素復流流量をＱｂとするＱｔ＝Ｑａ＋Ｑｂとなるから、ストイキは（Ｑａ＋Ｑｂ）／Ｑａと定義される。この定義から、ストイキ値が大きいほど吸引効率が大きいということが分かる。
【００５０】
つまり、パージ弁５４を開弁することで、燃料ガス流路２４を流通するガス流量が増加することから、圧力損失が増加し、結果として排水性が向上する。なお、図２中、一点鎖線で囲った拡大図に示すように、燃料ガス流路２４内の水にかかる力Ｆは、水素供給口３０と水素排出口３２との間の差圧をΔＰ、燃料ガス流路２４の断面積をＳとすると、Ｆ＝ΔＰ×Ｓで表されることが分かる。すなわち、差圧ΔＰが大きいほど水にかかる力Ｆが大きくなり、排水性が向上するようになる。
【００５１】
差圧ΔＰが発生するメカニズムについて、さらに説明すれば、セル内で水素が消費されると、水素排出口３２での圧力が低下する。すなわち、気体の状態方程式Ｐ＝ｍＲＴ／Ｖ（Ｐ：圧力、ｍ：物質量、Ｒ：気体定数、Ｔ：絶対温度、Ｖ：体積）から物質量ｍが減少すれば圧力Ｐが減少するので差圧ΔＰが発生する。
【００５２】
また、ガスの圧力損失（ガスと壁面との摩擦、絞り等）は、流量に比例することからガス流量が増加すると、圧力損失が増加し、差圧ΔＰが発生する。
【００５３】
このようにパージ弁５４を開弁することで差圧ΔＰを発生させ、燃料ガス流路２４内の水分を排出することができる。しかし、上述したように、パージ弁５４を開弁すると水素ガスが廃棄されるため、燃費が低下する。また、パージ弁５４を開弁した場合には、希釈ボックス６０により水素ガスを希釈して廃棄するために希釈ボックス６０内に供給する空気の流量を増加させるが、その際にエアコンプレッサ２０の駆動音が大きくなり燃料電池車両１２の商品性が低下する場合がある。したがって、パージ弁５４の開弁による差圧ΔＰの発生は、燃費の悪化、商品性の低下が懸念され限界がある。
【００５４】
また、図３に示すように、同一の発電電流Ｉ［Ａ］に対する差圧ΔＰ［ｋＰａ］は、通常発電時の差圧ΔＰ＝ΔＰｏよりパージ時における差圧ΔＰ＝ΔＰｏ＋ΔＰｐ（ΔＰｐは、差圧増分）の方が大きくなるが、低負荷領域では、水素ガスの流量が少ないために、発生する差圧ΔＰが小さく排水性が悪化し易い。このため、低負荷領域では、定期的なパージ弁５４の開弁により差圧ΔＰを大きくしても、排水が不十分な場合があり、排水が不十分な場合には発電が不安定に陥る。
【００５５】
パージによる増分差圧ΔＰｐは、個々の燃料電池１４により異なるが、例えば、ΔＰｐ≒１［ｋＰａ］程度の値になる。
【００５６】
そこで、パージ弁５４の開弁（パージ処理という。）によらないで差圧ΔＰを発生させるこの発明の実施形態に係る特有の技術について、図４を参照して説明する。
【００５７】
燃料電池１４の発電中において圧力センサ４０により検出される２００［ｋＰａ］程度のアノード圧力Ｐ１が水素供給口３０でかかっている時点ｔ０において水素供給弁４６を閉弁すると、時点ｔ０〜ｔ１に示すように、発電による水素の消費によってアノード圧力Ｐが圧力Ｐ１から急激に低下する。そして、アノード圧力Ｐが所定圧力Ｐ２になった時点ｔ１において、水素供給弁４６を再び開弁するとアノード圧力Ｐは時点ｔ１〜ｔ２の間でもとのアノード圧力Ｐ１にもどる。
【００５８】
このとき、燃料ガス流路２４の水素供給口３０と水素排出口３２との間で図４の時点ｔ１〜ｔ２に示すようにピーク値が１［ｋＰａ］程度のパルス状の差圧ΔＰが発生する。この実施形態において、時点ｔ１〜ｔ２の間の差圧ΔＰの発生期間は、１秒程度の時間になっている。
【００５９】
つまり、アノード圧力Ｐ（作動圧）を短時間に変動させると、パージよる増分差圧ΔＰｐと同程度の差圧ΔＰを発生させることができることが分かる。上記の所定圧力Ｐ２は、差圧ΔＰを発生させることができる圧力値であり、個々の燃料電池システム１０毎に予め定めることができる。所定圧力Ｐ２は、圧力センサ４０を通じて制御装置７０によりリアルタイムに取り込むことができる。
【００６０】
次に、この図４を参照して説明した作動圧変動による差圧ΔＰの発生技術を適用した図１例の燃料電池システム１０の動作について、図５のフローチャート及び図６、図７のタイムチャートを参照しながら説明する。
【００６１】
アノード圧力Ｐが一定、例えば、図４に示すアノード圧力Ｐ１が水素供給口３０にかかっていて発電電流Ｉが一定の通常発電中のステップＳ１において、制御装置７０の発電状態判定部７８は、定期的に（一定時間毎に）燃料電池１４の発電状態が安定か不安定化を判定する。
【００６２】
発電状態判定部７８による判定処理は、例えば、電圧センサ２６により測定されるセル電圧Ｖｓが閾値以上低下したときに発電状態が不安定と定める。より具体的には、平均セル電圧から最低セル電圧を減算した差電圧（電圧低下幅）が、予め確認しておいた所定の閾値を上回る値となったときに発電状態が不安定と定める。
【００６３】
発電状態判定部７８が燃料電池１４の発電状態が不安定であると判定したとき、貯留判定部７６は、燃料ガス流路２４に水が溜まっている（水詰まり等が発生している）と判定する。
【００６４】
水が溜まっていると判定したとき、貯留判定部７６は、差圧発生部７４に対して、ステップＳ２〜Ｓ４までの差圧ΔＰの発生処理（作動圧変動処理Ｓα）を促す。
【００６５】
ステップＳ１において発電状態が不安定と判定されたとき、ステップＳ２において、差圧発生部７４は、水素供給弁４６を閉弁する（図６中、時点ｔ１０）。
【００６６】
次いで、ステップＳ３において、差圧発生部７４は、圧力センサ４０により検出されるアノード圧力Ｐがアノード圧力Ｐ１から所定圧力（ここでは、図４のアノード圧力Ｐ１からアノード圧力Ｐ２まで）下がったかどうかを確認する。
【００６７】
アノード圧力Ｐがアノード圧力Ｐ２まで低下したことを確認したとき（図６中、時点ｔ１１）、差圧発生部７４は、ステップＳ４において、水素供給弁４６を再び開弁する（図６中、時点ｔ１１）。
【００６８】
ステップＳ２〜Ｓ４までの一連の操作により、時点ｔ１１〜ｔ１２までの間で作動圧変動処理Ｓαがなされ所望の差圧ΔＰ（図４参照）が発生し、この差圧ΔＰにより、図２を参照して説明したように、燃料ガス流路２４内の水分が水素排出口３２から水素循環流路４８に排出される。
【００６９】
なお、燃料ガス流路２４内から水素排出口３２を通じて水素循環流路４８に排出された水は、実際上、水素循環流路４８に設けられた図示しないキャッチタンク（水捕捉容器）に貯留され、このキャッチタンクが満量近くなった場合にドレイン弁（不図示）が開弁され、キャッチタンクからドレイン弁及び希釈ボックス６０を通じて外部に排出される。
【００７０】
燃料ガス流路２４内の水分が排出されたかどうかを確認するために、ステップＳ５において、ステップＳ１と同一の処理により発電状態判定部７８で発電状態を判定する。
【００７１】
ステップＳ５において、発電状態が安定であると判定したときステップＳ１の定期的発電状態判定処理にもどる。
【００７２】
その一方、作動圧変動処理Ｓαにより差圧ΔＰを発生してもステップＳ５の発電状態判定結果が、燃料電池１４の発電電流Ｉが少ない等の低負荷領域（図３参照）での動作中などにより水分を排出しきらず、不安定のままとなった場合には、さらに差圧ΔＰを大きくするために、ステップＳ６〜Ｓ８において、差圧発生部７４は、ステップＳ６の処理（上述したステップＳ２の水素供給弁４６の開弁処理、ステップＳ３のアノード圧力（作動圧）Ｐが所定アノード圧力Ｐ２まで下がったかどうかを確認し、ステップＳ４のアノード圧力Ｐが所定アノード圧力Ｐ２まで下がったときの水素供給弁４６の開弁処理からなる作動圧変動処理Ｓα）を行った直後に、ステップＳ７においてパージ弁５４を開弁し、ステップＳ８においてパージ弁５４を閉弁する。
【００７３】
図７のタイムチャートは、パージ弁５４の開弁、閉弁タイミングを示している。パージ弁５４は、図４に示した差圧ΔＰが発生する期間（図７中、時点ｔ１１〜ｔ１２）中の時点ｔａ〜ｔｂ間で短時間開く、そうすると図４に示した差圧ΔＰがパージ処理の効果に加えて作動圧変動処理Ｓαによる効果によりさらに振幅が大きくされ増圧｛ΔＰ（合成アノード圧力差圧）←ΔＰｏ（もともと存在する通常発電時の差圧）＋ΔＰｐ（パージ処理による差圧）＋ΔＰ（作動圧変動処理Ｓαによる差圧）｝される。これにより、低負荷領域での動作中であっても燃料ガス流路２４に溜まっている水分を確実に排出することができる。
【００７４】
以上説明したように、上述した実施形態に係る燃料電池システム１０は、燃料ガス流路２４内の水素ガスと酸化剤ガス流路２２内の酸化剤ガスを反応させて発電を行う燃料電池１４と、水素ガスを燃料電池１４に供給する水素ガス供給装置５０と、水素ガス供給装置５０を制御して、燃料電池１４に供給される水素ガスの流量を制御し、燃料電池１４の燃料ガス流路２４の供給排出口３０、３２間で差圧ΔＰを発生させる差圧発生部７４と、を備える。
【００７５】
このように、水素ガス供給装置５０を制御して、燃料電池１４の燃料ガス流路２４の供給排出口３０、３２間で水素ガスの差圧ΔＰ（パルス状の差圧）を発生させるようにしているので、燃料電池システム１０にピストン機構等の付加的な装置を設けることなく、発生した差圧ΔＰにより燃料ガス流路２４内の水詰まり等、水が溜まった状態を解消し、燃料ガス流路２４内での水素ガスの拡散性を向上させることができる。すなわち、作動圧変動による差圧ΔＰの発生だけで効率的に発電不安定を解消することができる。
【００７６】
この場合、燃料電池１４の燃料ガス流路２４内に水が溜まっているかどうかを判定する貯留判定部７６をさらに備え、差圧発生部７４は、貯留判定部７６が水が溜まっていると判定したとき、水素ガス供給装置５０を制御して、燃料電池１４の燃料ガス流路２４の供給排出口３０、３２間で差圧ΔＰを発生させる。
【００７７】
なお、貯留判定部７６は、発電状態判定部７８が、燃料電池１４の発電状態が安定か不安定かを判定し、不安定であると判定した場合に、水が溜まっていると判定するようにしてもよい。
【００７８】
また、貯留判定部７６は、イグニッションスイッチ８０がオフ状態とされた燃料電池システム１０のシステム停止時に、水が溜まっていると判定することで、システムの完全停止前に差圧発生部７４を動作させ、発電運転時に溜まった滞留水を排出することができる。
【００７９】
さらに、貯留判定部７６は、燃料電池システム１０のシステム停止後、所定のソーク時間経過後の再起動時に水が溜まっていると判定することで、再起動時に差圧発生部７４を動作させることでソークによって溜まった結露水を排出することができる。なお、所定のソーク時間は、外気温、燃料電池１４の負荷状態等から予め定めることができる。例えば、外気温が低いときには、溜まっている水が氷結する可能性があるので、所定のソーク時間を短くする。
【００８０】
上述した実施形態では、燃料電池１４の燃料ガス流路２４の水素排出口３２の下流側に水素ガスを放出するパージ弁５４をさらに設けているので、差圧発生部７４は、水素ガスの差圧ΔＰを発生させる際、作動圧発生処理Ｓαと略同時にパージ弁５４を短時間開弁してより大きな差圧ΔＰを発生させることができる。このようにしてより高い差圧ΔＰを得ることが可能となり、より広い運転領域（負荷領域）で発電安定性を確保することができる。
【００８１】
ここで、水素ガス供給装置５０は、水素ガス貯留器４４と、水素供給弁４６とから構成され、従来技術のようなピストン機構を付加する必要がないので、コストを上昇させることなく、コンパクトな形状を保持しながら発電不安定を解消することができる。
【００８２】
燃料電池１４の燃料ガス流路２４の水素供給口３０と水素ガス供給装置５０との間に圧力センサ４０を設けているので、差圧発生部７４は、圧力センサ４０により検出されたアノード圧力Ｐの変化に基づき、差圧ΔＰの発生を終了させることができる。アノード圧力Ｐを直接測定することにより作動圧変動（圧力変動）を把握することができるので、より確実に発電安定性を得ることができる。
【００８３】
なお、この発明は、上述した実施形態に限らず、この明細書の記載内容に基づき、種々の構成を採り得ることはもちろんである。
【図面の簡単な説明】
【００８４】
【図１】この発明の一実施形態に係る燃料電池システムを搭載した燃料電池車両の概略構成図である。
【図２】差圧により燃料ガス流路から水を排出する作用の説明図である。
【図３】発電電流と差圧の大きさとの関係説明図である。
【図４】差圧発生のメカニズムの説明図である。
【図５】図１例の燃料電池システムにおける差圧発生の動作説明に供されるフローチャートである。
【図６】差圧発生の動作説明に供されるタイムチャートである。
【図７】差圧発生の他の実施形態に係る動作説明に供されるタイムチャートである。
【符号の説明】
【００８５】
１０…燃料電池システム                １２…燃料電池車両
１４…燃料電池                        ２４…燃料ガス流路
３０…水素供給口                      ３２…水素排出口
４０…圧力センサ                      ５０…水素供給装置
７０…制御装置                        ７４…差圧発生部
７６…貯留判定部                      ７８…発電状態判定部
【図１】
2010044869.tif 000003
【図２】
2010044869.tif 000004
【図３】
2010044869.tif 000005
【図４】
2010044869.tif 000006
【図５】
2010044869.tif 000007
【図６】
2010044869.tif 000008
【図７】
2010044869.tif 000009